(57)【要約】  本明細書に記述されているシステム及び方法は、一般に、製品の流通を広告収入によって援助可能であるターゲット市場に対して、その上に広告を掲載した製品の販売を促進することにより、広告収入を発生させる方法及びシステムに関するものである。本システム及び方法は、少なくとも初期の販売トランザクションにおいて、広告掲載からの収入によって物品の真の費用を助成することにより、販売トランザクションを促進している。後続のトランザクションを同様に助成することも可能であり、あるいは、需要と供給の理論に従って後続のトランザクションを処理することも可能である。
2008515053.tif 000002
【特許請求の範囲】
【請求項１】
販売を発生させる方法において、
第１価格の、少なくとも１つの市場性の高い物品を配布するべく選択する段階と、
前記少なくとも１つの市場性の高い物品上への、あるいはこれと関連した少なくとも１つの広告の掲載に対する支払いを受領する段階と、
前記少なくとも１つの市場性の高い物品を、第２価格においてエンティティに配布する段階であって、前記エンティティは、前記少なくとも１つの市場性の高い物品を、第３価格において少なくなくとも１つの顧客に対して配布する、段階と、
を有しており、
前記第２価格は前記第１価格以下である、方法。
【請求項２】
前記第１関係者から第２価格において、追加の物品に対する注文を受領する段階を更に有する、請求項１記載の方法。
【請求項３】
前記少なくとも１つの市場性の高い物品は、箸ホルダである、請求項１記載の方法。
【請求項４】
前記少なくとも１つの市場性の高い物品は、香水サンプルである、請求項１記載の方法。
【請求項５】
前記少なくとも１つの市場性の高い物品は、自動車である、請求項１記載の方法。
【請求項６】
前記エンティティは、レストランである、請求項１記載の方法。
【請求項７】
前記エンティティは、小売業者である、請求項１記載の方法。
【請求項８】
前記エンティティは、スーパーマーケットである、請求項１記載の方法。
【請求項９】
前記第２価格は、ゼロである、請求項１記載の方法。
【請求項１０】
前記第３価格は、ゼロである、請求項１記載の方法。
【請求項１１】
前記少なくとも１つの広告は、前記少なくとも１つの広告が掲載されている前記少なくとも１つの市場性の高い物品とは関係していない、請求項１記載の方法。
【請求項１２】
販売を発生させる方法において、
第１関係者が配布するべく、少なくとも１つの市場性の高い物品を選択する段階と、
前記少なくとも１つの市場性の高い物品上への、あるいはこれと関連した広告を掲載する第２関係者を見出す段階と、
前記少なくとも１つの市場性の高い物品上への、あるいはこれと関連した前記広告の前記掲載に対して、前記第２関係者から支払いを受領する段階と、
第１価格において第３関係者から前記少なくとも１つの市場性の高い物品を受領する段階と、
前記少なくとも１つの市場性の高い物品上への、あるいはこれと関連した前記広告を掲載する段階と、
前記少なくとも１つの市場性の高い物品を、第２価格において第４関係者に対して配布する段階であって、前記第４関係者は、前記少なくとも１つの市場性の高い物品を第３価格において第５関係者に配布する、段階と、
を有しており、
前記第２価格は、前記第１価格を下回っているか、これと同一であるか、又はこれを上回るものであってよい方法。
【請求項１３】
前記第５関係者が、前記第２関係者から物品又はサービスを購入する段階を更に有する、請求項１２記載の方法。
【請求項１４】
前記第４関係者から、追加の市場性の高い物品に対する注文を受領する段階を更に有する、請求項１２記載の方法。
【請求項１５】
前記少なくとも１つの市場性の高い物品は、箸ホルダである、請求項１２記載の方法。
【請求項１６】
前記少なくとも１つの市場性の高い物品は、香水サンプルである、請求項１２記載の方法。
【請求項１７】
前記少なくとも１つの市場性の高い物品は、自動車である、請求項１２記載の方法。
【請求項１８】
前記第４関係者は、レストランである、請求項１２記載の方法。
【請求項１９】
前記第４関係者は、小売業者である、請求項１２記載の方法。
【請求項２０】
前記第４関係者は、スーパーマーケットである、請求項１２記載の方法。
【請求項２１】
広告収入を通じて購入及び販売サイクルを永続化する方法において、
第１供給者から、第１単価において物品の第１の組を取得する段階であって、前記第１の組は、複数の前記物品を有している、段階と、
前記複数の物品を、第２単価において第１購入者に対して販売する段階であって、前記第２単価は、第１広告関係者による前記複数の物品と関連した広告の掲載に対する広告収入に部分的に基づいて価格設定されている、段階と、
前記複数の物品の少なくとも一部を、第３単価において第２購入者に対して販売する段階であって、前記第３単価は、ゼロであるか、前記第１単価を下回っているか、又は前記第１単価を上回っている、段階と、
複数の物品の第２の組を、第４単価において前記第１購買者に対して販売する段階であって、前記第４単価は、前記第２単価とは異なっている、段階と、
を有する方法。
【発明の詳細な説明】
【技術分野】
【０００１】
本明細書に記述されているシステム及び方法は、一般に、製品の流通を広告収入によって援助可能なターゲット市場に対して、その上に広告を掲載した製品の販売を促進することにより、広告収入を発生させる方法及びシステムに関するものである。
【背景技術】
【０００２】
広告のシステム及び方法については、当技術分野において周知である。一般的な広告媒体には、新聞、看板、インターネット、テレビ、及びラジオが含まれている。広告を使用することにより、新しい製品を市場に紹介し、あるいは、既存の製品を新しい顧客に対して紹介することができる。広告技法によれば、市場に既に存在している製品の新しい使用法を提案し、あるいは、流通システムの円滑な管理を支援可能である。広告は、ブランドの構築と広告主の信用の醸成に有用である。
【発明の開示】
【発明が解決しようとする課題】
【０００３】
広告収入のシステム及び方法については、当技術分野において既知であるが、改善されたシステム及び方法に対する継続的なニーズが存在している。従って、広告販売を発生させる代替システム及び方法を開発することが望ましいであろう。
【課題を解決するための手段】
【０００４】
本発明は、第１価格の、少なくとも１つの市場性の高い物品を配布するべく選択し、少なくとも１つの市場性の高い物品上への、あるいはこれと関連した少なくとも１つの広告の掲載に対する支払いを受領し、且つ、少なくとも１つの市場性の高い物品を第２価格において１つのエンティティに対して配布することにより、広告販売を発生させるシステム及び方法について記述しており、この場合に、前述のエンティティは、少なくとも１つの市場性の高い物品を、第３価格において少なくとも１つの顧客に対して配布しており、且つ、第２価格は、第１価格以下である。
【０００５】
あるいは、この代わりに、本発明は、第１関係者が配布するべく、少なくとも１つの市場性の高い物品を選択し、少なくとも１つの市場性の高い物品上への、あるいはこれと関連した広告を掲載する第２関係者を見出し、少なくとも１つの市場性の高い物品上への、あるいはこれと関連した広告の掲載に対する支払いを、第２関係者から受領し、第３関係者から少なくとも１つの市場性の高い物品を第１価格において受領し、少なくとも１つの市場性の高い物品に対する、あるいはこれと関連した広告を掲載し、少なくとも１つの市場性の高い物品を、第２価格において第４関係者に対して配布することにより、実施することも可能であり、この場合に、第４関係者は、少なくとも１つの市場性の高い物品を、第３価格において第５の関係者に対して配布しており、且つ、第２価格は、第１価格以下である。
【０００６】
別の実施例においては、本発明は、第１供給者から物品の第１の組を第１単価において取得し、ここにおいて前記第１の組は、複数の前述の物品を有しており、複数の物品を第２単価において第１購入者に対して販売し、ここにおいて前記第２単価は、第１広告関係者による複数の物品と関連した広告の掲載に対する広告収入に部分的に基づいて価格設定されており、複数の物品の少なくとも一部を第３単価において第２購入者に対して販売し、ここにおいて前記第３単価はゼロであるか、第１単価を下回っているか、又は第１単価を上回っており、且つ、複数の物品の第２の組を、前記第２の単価とは異なる第４単価において第１購入者に対して販売することにより、実施可能である。
【発明を実施するための最良の形態】
【０００７】
本発明は、添付の図面との関連において以下の詳細な説明を参照することにより、十分に理解することができよう。本明細書及び添付の図面においては、類似の参照符号により、類似の特徴を示している。添付図面の内訳は、「図面の簡単な説明」の節に記述されているとおりである。
【０００８】
添付図面との関連において以下に記述されている詳細な説明は、本発明の各態様に従って提供される、広告販売を発生させるシステム及び方法の現時点における好適な実施例の説明であり、これは、本発明を構築又は利用可能な唯一の形態を表すことを意図したものではない。以下の説明は、図示の実施例との関連において、本発明による広告販売を発生させるシステム及び方法の特徴と、実装及び使用の各段階について記述している。但し、様々な実施例によって同一又は等価な機能及び段階を実現可能であり、これらも、本発明の精神及び範囲に包含されることを意図するものであることを、理解されたい。又、本明細書の別の部分に記述されているように、類似の参照符号は、類似又は同様の要素又は特徴を示すことを意図している。
【０００９】
本発明の各態様に従って提供される、広告販売を発生させる模範的なシステムのフローチャートが、図１に示されており、このシステムには、全体として参照符号１０が付与されている。模範的な一実施例においては、広告販売を発生させるシステム１０は、関係者の５つのグループを有しており、それぞれの関係者のグループは、その関係者のグループの１つ又は複数のメンバー又は種（ｓｐｅｃｉｅｓ）から構成されている。わかりやすくするべく、１つの関係者のグループ当たりに１つのメンバー及び種という設定において説明しているが、１つの関係者のグループ当たりに複数のメンバーが存在可能であることを理解されたい。一実施例においては、第１関係者１００が、広告対象であるターゲット市場と、広告媒体として使用される、少なくとも１つの使い果たすことが可能な物品１０６と、を選択することにより、本システムを起動している。一実施例においては、第１関係者１００は、プロモーター、起業家、又は、広告販売を発生させるシステム１０の実現に関心を持っているその他のビジネスエンティティであってよい。第１関係者１００は、物品１０６又は物品のパッケージ上において広告をするように、第２関係者２００を勧誘する。第２関係者２００は、ターゲット市場の魅力に起因し、システム１０に参加する所望を抱くことになる。第１関係者１００は、物品１０６又は物品のパッケージ上における広告の掲載１０４と交換に、第２関係者２００から広告に対する価格１０２を受領する。一実施例においては、第２関係者２００は、製造者、企業、又は、選択された市場を広告のターゲットとすることを所望するなんらかのその他のビジネスエンティティであってよい。
【００１０】
第１関係者１００は、第３関係者３００から第１価格１０８において物品１０６を取得する。一実施例においては、第３関係者３００は、供給者、卸売業者、製造者、又は、物品１０６を提供するビジネスに従事する、任意のその他のビジネスエンティティであってよい。一実施例においては、第１関係者１００を第２関係者２００と組み合わせることにより、単一のエンティティとすることが可能である。一実施例においては、第１関係者１００を第３関係者３００と組み合わせることにより、単一のエンティティとすることが可能である。一実施例においては、第１関係者１００を第２関係者２００及び第３関係者３００の両方と組み合わせることにより、単一のエンティティとすることが可能である。第１関係者１００は、物品１０６又は物品のパッケージ上に所望の広告１０４を掲載する。一実施例においては、広告１０４は、それらが掲載される物品１０６と関係を有していなくてもよい。第１関係者１００は、広告が掲載された物品１１２をターゲット市場においてビジネスを営んでいる第４関係者４００に対して、第２の価格において配布する。一実施例においては、第２価格１１０は、ゼロであるか又は第１価格１０８を下回るなんらかの価格であってよい。様々な実施例において、第４関係者４００は、レストラン、小売業者、スーパーマーケット、又は消費者と直接ビジネスを営んでいるなんらかのその他のビジネスエンティティであってよい。第４関係者４００は、広告が掲載された物品１１２を第３価格１１４において第５関係者５００に対して配布する。
【００１１】
一実施例においては、第５関係者５００は、顧客、得意先、又は、第４関係者４００の潜在的な得意先であってよい。模範的な実施例においては、第３価格１１４は、ゼロであるか又はゼロを上回るなんらかの価格であってよい。まず、第１関係者１００が物品１１２を無償で第４関係者４００に提供することにより、あるいは、その公正な市場価値を下回るなんらかの価格において物品を第４関係者に対して販売することにより、第４関係者の関心を誘発可能である。第４関係者４００も、物品１１２を第５関係者５００に対して無償で提供することにより、あるいは、それらの公正な市場価値を下回る価格においてそれらを販売することにより、第５関係者５００の関心又は需要を誘発可能である。物品１１２を無償で提供することにより、第１関係者１００は、第４関係者４００との間に友好な関係を構築することになり、この結果、第４関係者も、第５関係者５００との間に友好な関係を構築することになる。
【００１２】
このサイクルを永続化させることにより、且つ、第５関係者５００からの需要に起因し、第４関係者４００は、第２価格１１０’において第１関係者１００に対して追加の物品１１２を要求することになる。この第２価格１１０’は、初期の第２価格１１０とは異なったものであってよい。一実施例においては、第２価格１１０’は、ゼロであるか、ゼロを上回っているか、又は第１価格１０８を上回るものであってよい。一実施例においては、第５関係者５００は、第１関係者１００によって物品１１２上に掲載されている第２関係者の広告１０４に接した結果として、第２関係者２００から物品又はサービス１１６を購入する。システム１０が機能を開始した後には、物品の数、物品の価格、及び物品上に広告を掲載する費用は、需要と供給の経済原理に従って変化可能であり、これが、閉じたループサイクル９０によって表されている。
【００１３】
次に図２を参照すれば、図１のシステム及び方法に従って広告販売を発生させる、模範的なシステムのフローチャートが示されている。模範的な一実施例においては、広告販売を発生させるシステム１０は、広告主２０２、プロモーター１２０、供給者３０２、レストラン４０２、及びレストランの顧客５０２という関係者又はグループを有することができる。わかりやすくするべく、それぞれのグループ当たりに１つのメンバー又は種のみという設定において説明しているが、複数の広告主２０２、プロモーター１２０、供給者３０２、及びレストラン４０２が存在可能であることを理解されたい。一実施例においては、例えば起業家又はマーケティングエージェントであるプロモーター１２０は、箸ホルダ１２６を広告媒体、即ち、物品、として使用するべく選択することにより、システムを起動している。あるいは、この代わりに、プロモーター１２０は、まず、ターゲット市場を選択し、次いで、このターゲット市場が関心を抱くであろう物品を選択することも可能である。更には、この代わりに、プロモーター１２０は、そのターゲット市場に対してビジネスを営んでいるビジネスエンティティ対する、インタビュー又は市場調査を実施することも可能である。この例においては、プロモーター１２０は、レストランのオーナー４０２に対してインタビューするべく選択し、アジア食品の提供者の顧客にとっては、箸ホルダが理想的な物品であると結論付けることができる。
【００１４】
箸ホルダについては、当技術分野において周知であり、且つ、米国特許第５，８１０，４１１号（Ｍａｊｏｒ）、第４，７２１，３３４号（Ｎａｋａｔｓｕ）、第４，７８７，６３３号（Ｌａｒａｍｉｅ）、及び第５，４８６，０２９号（Ｋｏｂａｙａｓｈｉ）に記述されており、これらの特許の内容は、本引用により、本明細書に明示的に包含される。一般に、箸ホルダは、支点として機能するブリッジ又はコネクタによって互いに接続された２つの収容ユニットを有する装置である。収容ユニットが、それぞれ、箸の端部を収容し、ブリッジが、箸がユーザーの手から外れることを防止しつつ、箸の動きを促進している。
【００１５】
プロモーター１２０は、箸ホルダ１２６又は箸ホルダのパッケージ上において広告をするように、広告主２０２を勧誘する。広告主２０２は、レストラン、スーパーマーケット、金物店、又はレストランの顧客を広告のための主な購買層であると見なしている任意のその他のビジネスエンティティにおいて、製品を販売している多数の事業体の中の１つであってよい。プロモーター１２０は、広告主２０２から広告の価格１２２と、箸ホルダ１２６及びそれらのパッケージ上に掲載する所望の１つ又は複数の広告１２４と、を受領する。
【００１６】
プロモーター１２０は、供給者３０２から箸ホルダ１２６を第１価格１２８において取得する。一実施例においては、供給者３０２は、製造者、卸売業者、又は箸ホルダを提供する任意のその他のビジネスエンティティであってよい。プロモーター１２０は、所望の広告１２４を箸ホルダ１２６又は箸ホルダのパッケージ上に掲載する。実際には、箸ホルダの製造者が、プロモーター１２０の要請に従い、直接、物品又はパッケージ上に広告を掲載可能である。プロモーター１２０は、広告を掲載した箸ホルダ１３２を第２価格１３０においてレストラン４０２に対して配布する。一実施例においては、第２価格１３０は、箸ホルダ１３２をその顧客に対して配布するようにレストラン４０２を誘引するべく、ゼロであるか又は第１価格１２８を下回るなんらかの価格であってよい。この結果、レストラン４０２が、広告を掲載した箸ホルダ１３２を第３価格１３４において顧客５０２に対して配布する。一実施例においては、第３価格は、顧客の忠誠心又は友好な関係を構築するための意思表示として、ゼロであるか又はなんらかのわずかな価格であってよい。
【００１７】
このサイクルを永続化させることにより、且つ、当初供給した物品を使い果たしたため、あるいは、単に顧客５０２からの需要に起因し、レストラン４０２は、広告を掲載した追加の箸ホルダ１３２を第２価格１３０’において要求する。この第２価格１３０’は、当初の第２価格１３０とは異なったものであってよい。一実施例においては、第２価格１３０’は、ゼロであるか、ゼロを上回っているか、又は第１価格１２８を上回るものであってよい。一実施例においては、レストラン４０２の顧客５０２は、広告１２４に接した結果として、広告主２０２から物品又はサービス１３６を購入することになる。システム１０が機能を開始した後には、関係者のグループ間における箸ホルダの数、箸ホルダの価格、及び広告を掲載するコストは、需要と供給に従って変化可能である。
【００１８】
代替実施例においては、プロモーター１２０は、その上部に広告１２４が掲載された複数の物品１２６を収容するパッケージをレストラン４０２、即ち、ランダムなレストランの支配人、に対して送付することにより、システム１０を起動可能である。当然のことながら、この送付されるパッケージは、追加の物品を発注するための情報を包含することになろう。この結果、レストラン４０２は、この物品をわずかな費用で、又は、無償で、その顧客に対して配布することになる。レストランは、箸ホルダ１２６を使い果たした後に、プロモーター１２０に対して新しい注文又は補充を要求し、この結果、プロモーターは、供給者３０２に対して注文することになる。この結果、システム１０は、需要と供給の４つのチェーン又はサイクルと、広告の１つのチェーンと、により、前述のように発展することになろう。
【００１９】
次に図３を参照すれば、本システムに従って広告販売を発生させるシステム及び方法の代替実施例のフローチャートが示されている。模範的な一実施例においては、広告販売を発生させるシステム１０は、広告主２０４、プロモーター１４０、供給者３０４、小売業者４０４、及び小売業者の顧客５０４というグループを有することができる。わかりやすくするべく、それぞれのグループ当たりに１つのメンバー又は種のみという設定において説明しているが、複数の広告主２０４、プロモーター１４０、供給者３０４、及び小売業者４０４が存在可能であることを理解されたい。一実施例においては、プロモーター１４０は、香水サンプル１４６を広告媒体として使用するべく選択することにより、本システムを起動している。一実施例においては、プロモーター１４０は、起業家又は広告販売を発生させるシステム１０の実現に興味を持っている、その他のビジネスエンティティである。プロモーター１４０は、香水サンプル１４６又は香水サンプルのパッケージ上において広告をするように広告主２０４を勧誘する。プロモーター１４０は、広告主２０４から、広告に対する価格１４２と、所望の広告１４４と、を受領する。一実施例においては、広告主２０４は、製造者、企業、又は、選択された市場を広告のためのターゲットとすることを所望する、なんらかのその他のビジネスエンティティであってよい。香水サンプルが、販売促進用の物品であることから、ターゲット市場又は顧客は、女性の買物客やフィットネスクラブ又はサロンの会員を包含可能である。これらの顧客に対してビジネスを営んでいる市場セグメントは、サロン、フィットネスクラブ、及び衣料品店を包含可能である。
【００２０】
プロモーター１４０は、供給者３０４から第１価格１４８において香水サンプル１４６を取得する。一実施例においては、供給者３４０は、製造者、卸売業者、又は香水サンプル１４６を提供する任意のその他のビジネスエンティティであってよい。プロモーター１４０は、香水サンプル１４６又は香水サンプルのパッケージ上に所望の広告１４４を掲載する。プロモーター１４０は、広告を掲載した香水サンプル１５２を第２価格１５０において小売業者４０４に対して配布する。一実施例においては、第２価格１５０は、香水サンプル１５２を配布するように小売業者４０４を誘引するべく、ゼロであるか又は第１価格１４８を下回るなんらかの価格であってよい。前述のように、一実施例においては、小売業者４０４は、百貨店、サロン、フィットネスクラブ、香水店、又は香水サンプル１４６の配布を所望する、任意のその他のビジネスエンティティであってよい。小売業者４０４は、広告を掲載した香水サンプル１５２を第３価格１５４において顧客５０４に対して配布する。一実施例においては、第３価格１５４はゼロであってよい。
【００２１】
このサイクルを永続化させることにより、且つ、顧客５０４からの需要に起因し、小売業者４０４は、広告を掲載した追加の香水サンプル１５２を第２価格１５０’において要求することになる。この第２価格１５０’は、当初の第２価格１５０とは異なったものであってよい。一実施例においては、第２価格１５０’はゼロであるか、ゼロを上回っているか、又は第１価格１４８を上回るものであってよい。別の実施例においては、小売業者４０４の顧客５０４は、広告１４４に接した結果として、広告主２０４から物品又はサービス１５６を購入する。システム１０が機能を開始した後には、関係者のグループ間における香水サンプルの数、香水サンプルの価格、及び広告を掲載する費用は、需要と供給に従って変化可能である。
【００２２】
次に、図４を参照すれば、図１のシステムに従って広告販売を発生させるシステム及び方法の代替実施例のフローチャートが示されている。模範的な一実施例においては、広告販売を発生させるシステム及び方法１０は、広告主２０６、プロモーター１６０、供給者３０６、スーパーマーケット４０６、及びスーパーマーケットの顧客５０６という関係者又はグループを有している。わかりやすくするべく、それぞれのグループ当たりに１つのメンバー又は種のみという設定において説明しているが、複数の広告主２０６、プロモーター１６０、供給者３０６、及びスーパーマーケット４０６が存在可能であることを理解されたい。一実施例においては、プロモーター１６０は、広告に使用するべく自動車１６６を選択することにより、本システムを起動する。一実施例においては、プロモーター１６０は、起業家又は広告販売を発生させるシステム１０の実現に関心を持っている、その他のビジネスエンティティである。プロモーター１６０は、自動車１６６上への、あるいはこれと関連した広告をするべく広告主２０６を勧誘する。プロモーター１６０は、自動車１６６上における所望の広告１６４の掲載と引き換えに、広告主２０６から広告１６２に対する価格を受領する。一実施例においては、広告主２０６は、製造者、企業、又は選択された市場を広告のためのターゲットとすることを所望する、なんらかのその他のビジネスエンティティであってよい。自動車１６６が、販売促進用の物品であることから、顧客は、レーシングカーのファン、ゴルフクラブのメンバー、新しいスーパーマーケットの自動車を景品とした宝くじに参加する顧客、新しい百貨店の自動車を景品とした宝くじに参加する顧客などを包含可能である。
【００２３】
プロモーター１６０は、供給者３０６から第１価格１６８において自動車１６６を取得する。一実施例においては、供給者３０６は、製造者、ディーラー、自動車を提供する任意のその他のビジネスエンティティであってよい。プロモーター１６０は、自動車１６６又は自動車に隣接して配置されている関連したディスプレイ上に望ましい広告１６４を掲載する。プロモーター１６０は、広告を掲載した自動車１７２を第２価格においてスーパーマーケット４０６に対して配布する。一実施例においては、第２価格１７０は、自動車１７２を配布するようにスーパーマーケット４０６を誘引するべく、ゼロであるか又は第１価格１６８を下回る価格であってよい。スーパーマーケット４０６は、広告を掲載した自動車１７２を第３価格１７４において顧客５０６に対して配布する。一実施例においては、第３価格１７４は、ゼロであってよい。好適な実施例においては、自動車１６６は、コンテストにおいてスーパーマーケット４０６から無償で提供されている。このコンテストに参加するために、顧客５０６が料金を支払う場合があり、この場合には、第３価格１７４は、ゼロを上回っている。
【００２４】
このサイクルを永続化させることにより、且つ、顧客５０６からの需要に起因し、スーパーマーケット４０６は、第２価格１７０’において追加の自動車１７２を要求する。この第２価格１７０’は、当初の第２価格１７０と異なったものであってよい。好適な実施例においては、このプロモーター１６０に対する追加の自動車１７２の要求は、スーパーマーケット４０６、関連したスーパーマーケット、競合するスーパーマーケット、又は任意のその他の店舗から到来可能である。一実施例においては、第２価格１７０’は、ゼロであるか、ゼロを上回っているか、又は第１価格１６８を上回るものであってよい。一実施例においては、スーパーマーケット４０６の顧客５０６は、広告主２０６の広告１６４に接した結果として、広告主２０６から物品又はサービス１７６を購入する。本システム１０が機能を開始した後には、自動車の数、自動車の価格、及び広告を掲載する費用は、需要と供給に従って変化可能である。
【００２５】
以上、本発明の好適な実施例について、ある程度の特定性を有するように説明したが、本明細書に示されている説明及び図面は、範囲の限定を意図したものではなく、当業者であれば、本発明の範囲を逸脱することなしに、前述の実施例に対して様々な変更を実施可能であり、且つ、そのような変更及び変形も、添付の請求項の範囲に属することを意図していることを理解するであろう。本発明の精神及び範囲を逸脱することなしに、関連した関係者の数に対して様々な変更を実施可能である。例えば、様々な関係者を、第１関係者に関連したやり取りに追加可能である。又、本明細書は、第１、第２、第３などの観点において関係者を定義しているが、このシーケンスを変更することも可能である。換言すれば、１つのトランザクションの文脈において、ある関係者を第１関係者と呼称可能である。しかしながら、別のトランザクションの文脈においては、同一の関係者を第２又は第３の関係者と呼称可能である。矛盾している場合には、図面に示されている様々な関係者の数字による表記によってではなく、それらの位置又はブロックによって判定されたい。その他の変更には、広告媒体としての物品の代わりにサービスの使用が含まれている。従って、当業者であれば、本発明の精神及び範囲を逸脱することなしに、多くの変更及び変形を実施可能である。
【図面の簡単な説明】
【００２６】
【図１】本発明の各態様に従って広告販売を発生させる模範的なシステム及び方法のフローチャートである。
【図２】図１のシステム及び方法に従って広告販売を発生させる模範的なシステム及び方法のフローチャートであり、この場合には、ターゲット市場は、レストランである。
【図３】図１のシステム及び方法に従って広告販売を発生させるシステム及び方法の代替実施例のフローチャートであり、この場合には、ターゲット市場は、小売店舗である。
【図４】図１のシステム及び方法に従って広告販売を発生させるシステム及び方法の代替実施例のフローチャートであり、この場合には、ターゲット市場は、スーパーマーケットである。
【図１】
2008515053.tif 000003
【図２】
2008515053.tif 000004
【図３】
2008515053.tif 000005
【図４】
2008515053.tif 000006
【国際調査報告】
2008515053.tif 000007